(57)【要約】【課題】小型軽量な物品の洗浄作業にかかる作業時間の短縮を図り、作業者の負担軽減および作業効率の向上を図ること。【解決手段】それぞれが環形状をなす枠部１０２と当該枠部１０２の内周において網目を形成する網状部１０３とによって構成される一対の板網部材１０１を、板面どうしが対向する位置と当該板面どうしが離間する位置との間において相互に回動可能に連結し、ストレーナメディア４０４やリテーナ５０１などの小型軽量な複数の物品を一対の板網部材１０１の間に挟み込むことによって当該物品の移動を規制することで、高圧洗浄機などから放出される水を水勢を落とすことなく、ストレーナメディア４０４やリテーナ５０１に吹き付けることができる。【選択図】図６
2020175330.tif 000002
【特許請求の範囲】
【請求項１】
それぞれが環形状をなす枠部と当該枠部の内周において網目を形成する網状部とによって構成される一対の板網部材と、
前記一対の板網部材における各板網部材の枠部によって縁取られる板面どうしが対向する位置と当該板面どうしが離間する位置との間において相互に回動可能に前記一対の板網部材を連結する連結部材と、
前記板面どうしを対向させた状態で前記一対の板網部材の前記枠部どうしの位置関係を固定する固定部材と、
を備えたことを特徴とする洗浄補助具。
【請求項２】
前記網状部は、加えられた外力に応じて弾性変形する弾性を呈することを特徴とする請求項１に記載の洗浄補助具。
【請求項３】
前記一対の板網部材のうち少なくとも一方の板網部材は、外周縁側よりも内周側が、他方の板網部材から離反するように凹む凹形状をなすことを特徴とする請求項１または２に記載の洗浄補助具。
【請求項４】
前記固定部材は、前記板網部材において前記連結部材とは反対側に設けられていることを特徴とする請求項１〜３のいずれか一つに記載の洗浄補助具。
【請求項５】
前記固定部材は、前記一対の板網部材のうちの一方の板網部材に設けられて先端が鈎形状をなすツメ部材と、他方の板網部材に設けられて前記ツメ部材が係合する突起を備えた突起部材と、によって構成されたことを特徴とする請求項４に記載の洗浄補助具。
【請求項６】
前記一対の板網部材のうち少なくとも一方の板網部材の前記枠部は磁性体によって形成されており、
前記固定部材は、前記一対の板網部材のうち他方の板網部材に設けられた磁石であることを特徴とする請求項４に記載の洗浄補助具。
【請求項７】
前記連結部材は、前記一対の板網部材の前記枠部の一部を内周側に位置づけた環状部材であることを特徴とする請求項１〜６のいずれか一つに記載の洗浄補助具。
【請求項８】
前記固定部材は、結束バンドであることを特徴とする請求項１〜７のいずれか一つに記載の洗浄補助具。
【請求項９】
前記連結部材は、結束バンドであることを特徴とする請求項８に記載の洗浄補助具。
【請求項１０】
前記結束バンドは、繰り返し使用が可能であることを特徴とする請求項８または９に記載の洗浄補助具。
【発明の詳細な説明】
【技術分野】
【０００１】
この発明は、小型軽量な物品の洗浄に用いる洗浄補助具に関する。
【背景技術】
【０００２】
発電所において、河川から取水した水を発電機の冷却に用いている。河川から取水した水は、ストレーナに導水して草葉や木の枝などの異物を除去してから、発電機の冷却に用いる。ストレーナは、異物を除去するための、ストレーナメディアと称される網を備えている。
【０００３】
ストレーナ内で水が詰まってしまうと、発電機を冷却することができずに発電が停止してしまうため、ストレーナメディアに異物が付着した場合には取り外して洗浄する。従来、取り外したストレーナメディアは、ストレーナメディアを固定する部品であるリテーナとともに、ブラシなどを用いて１つずつ擦り洗いしている。
【０００４】
関連する技術として、具体的には、従来、たとえば、ストレーナをバルブの流れる方向に２分し、洗浄塔の洗浄液を抜き出す際、一方のストレーナより洗浄液の抜き出しをおこなっているときに、他方のストレーナを洗浄液の一部を使って逆洗をおこなうようにしたストレーナ洗浄方法に関する技術があった（たとえば、下記特許文献１を参照。）。
【先行技術文献】
【特許文献】
【０００５】
【特許文献１】特開昭５７−１４９５８４号公報
【発明の概要】
【発明が解決しようとする課題】
【０００６】
しかしながら、上述した従来の技術は、ストレーナは、ストレーナメディアやリテーナを複数備えているため、洗浄作業が煩雑であって時間がかかり作業効率に劣るという問題があった。
【０００７】
また、上述した従来の技術は、高圧洗浄機などを用いてまとめて洗浄すると、小型で軽量なストレーナメディアやリテーナが水圧によって飛び跳ねてしまい、洗浄ができないばかりか紛失してしまうおそれがあるという問題があった。
【０００８】
このように、上述した従来の技術は、ストレーナメディアやリテーナなどの小型軽量な部品を、紛失させることなく、確実かつ効率よく洗浄することが難しいという問題があった。
【０００９】
また、上述した特許文献１に記載された従来の技術は、一方のストレーナより洗浄液の抜き出しをおこなっているときに、他方のストレーナを洗浄液の一部を使って逆洗をおこなうことによってストレーナを洗浄する技術であって、ストレーナメディアやリテーナを複数備えたストレーナの洗浄に適用することが難しいという問題があった。
【００１０】
具体的に、上述した特許文献１に記載された従来の技術を、ストレーナメディアやリテーナを複数備えたストレーナの洗浄に適用する場合、洗浄液の抜き出しをおこなうストレーナメディアと逆洗をおこなうストレーナメディアとの組み合わせの数が多くなり、作業が煩雑であり、作業効率に劣るという問題があった。
【００１１】
このように、従来の技術は、ストレーナメディアやリテーナなどの小型軽量な部品を確実かつ効率よく洗浄することができなかった。そして、従来の技術は、このために、洗浄対象とする物品の洗浄作業に時間がかかり、作業者の負担が大きく作業効率に劣るという問題があった。
【００１２】
この発明は、上述した従来技術による問題点を解消するため、小型軽量な部品の洗浄作業にかかる作業時間の短縮を図り、作業者の負担軽減および作業効率の向上を図ることができる洗浄補助具を提供することを目的とする。
【課題を解決するための手段】
【００１３】
上述した課題を解決し、目的を達成するため、この発明にかかる洗浄補助具は、それぞれが環形状をなす枠部と当該枠部の内周において網目を形成する網状部とによって構成される一対の板網部材と、前記一対の板網部材における各板網部材の枠部によって縁取られる板面どうしが対向する位置と当該板面どうしが離間する位置との間において相互に回動可能に前記一対の板網部材を連結する連結部材と、前記板面どうしを対向させた状態で前記一対の板網部材の前記枠部どうしの位置関係を固定する固定部材と、を備えたことを特徴とする。
【００１４】
また、この発明にかかる洗浄補助具は、上記の発明において、前記網状部が、加えられた外力に応じて弾性変形する弾性を呈することを特徴とする。
【００１５】
また、この発明にかかる洗浄補助具は、上記の発明において、前記一対の板網部材のうち少なくとも一方の板網部材が、外周縁側よりも内周側が、他方の板網部材から離反するように凹む凹形状をなすことを特徴とする。
【００１６】
また、この発明にかかる洗浄補助具は、上記の発明において、前記固定部材が、前記板網部材において前記連結部材とは反対側に設けられていることを特徴とする。
【００１７】
また、この発明にかかる洗浄補助具は、上記の発明において、前記固定部材が、前記一対の板網部材のうちの一方の板網部材に設けられて先端が鈎形状をなすツメ部材と、他方の板網部材に設けられて前記ツメ部材が係合する突起を備えた突起部材と、によって構成されたことを特徴とする。
【００１８】
また、この発明にかかる洗浄補助具は、上記の発明において、前記一対の板網部材のうち少なくとも一方の板網部材の前記枠部が、磁性体によって形成されており、前記固定部材が、前記一対の板網部材のうち他方の板網部材に設けられた磁石であることを特徴とする。
【００１９】
また、この発明にかかる洗浄補助具は、上記の発明において、前記連結部材が、前記一対の板網部材の前記枠部の一部を内周側に位置づけた環状部材であることを特徴とする。
【００２０】
また、この発明にかかる洗浄補助具は、上記の発明において、前記固定部材が、結束バンドであることを特徴とする。
【００２１】
また、この発明にかかる洗浄補助具は、上記の発明において、前記連結部材が、結束バンドであることを特徴とする。
【００２２】
また、この発明にかかる洗浄補助具は、上記の発明において、前記結束バンドが、繰り返し使用が可能であることを特徴とする。
【発明の効果】
【００２３】
この発明にかかる洗浄補助具によれば、小型軽量な物品の洗浄作業にかかる作業時間の短縮を図り、作業者の負担軽減および作業効率の向上を図ることができるという効果を奏する。
【図面の簡単な説明】
【００２４】
【図１】この発明にかかる実施の形態の洗浄補助具の構成を示す説明図（その１）である。
【図２】この発明にかかる実施の形態の洗浄補助具の構成を示す説明図（その２）である。
【図３】ストレーナの構成を示す説明図（その１）である。
【図４】ストレーナの構成を示す説明図（その２）である。
【図５】ストレーナの構成を示す説明図（その３）である。
【図６】ストレーナメディアおよびリテーナの洗浄方法を示す説明図（その１）である。
【図７】ストレーナメディアおよびリテーナの洗浄方法を示す説明図（その２）である。
【図８】板網部材の別の構成を示す説明図である。
【発明を実施するための形態】
【００２５】
以下に添付図面を参照して、この発明にかかる洗浄補助具の好適な実施の形態を詳細に説明する。
【００２６】
まず、この発明にかかる実施の形態の洗浄補助具の構成について説明する。図１および図２は、この発明にかかる実施の形態の洗浄補助具の構成を示す説明図である。図１においては、この発明にかかる実施の形態の洗浄補助具の外観を示している。図２においては、この発明にかかる実施の形態の洗浄補助具を図１におけるＡ−Ａ線に沿って切断した断面を示している。
【００２７】
図１および図２において、この発明にかかる実施の形態の洗浄補助具１００は、一対の板網部材１０１を備えている。一対の板網部材１０１は、それぞれ、枠部１０２と網状部１０３とによって構成されている。枠部１０２は、環形状をなす。この実施の形態の枠部１０２は、正対する２組の直線によって囲まれた長方形の環形状をなす。
【００２８】
この実施の形態において、枠部１０２は、一対の板網部材１０１を板面に直交する方向に沿って切断した断面が、略Ｌ字形状をなす。これにより、互いの網状部１０３を正対させるようにして一対の板網部材１０１を対向させた状態では、対向する板網部材１０１に向かって周縁が立ち上がった周縁どうしが当接する。そして、これにより、一対の板網部材１０１における網状部１０３の間に空間を確保することができる。
【００２９】
枠部１０２は、一対の板網部材１０１を板面に直交する方向に沿って切断した断面が略Ｌ字形状をなすものに限らない。枠部１０２は、たとえば、一対の板網部材１０１を板面に直交する方向に沿って切断した断面が円（環）形状をなすような、管状（筒状）部材によって構成してもよい。また、枠部１０２は、断面が円（環）形状をなす管状（筒状）部材に限らず、たとえば、角パイプのように断面が多角形状をなす管状部材（角筒）によって構成してもよい。
【００３０】
枠部１０２は、たとえば、金属材料を用いて形成することができる。金属材料のように、展延性を呈する材料を用いて枠部１０２を形成することにより、良好な加工性と高い強度との両方を確保することができる。より具体的に、枠部１０２は、たとえば、チタン、ステンレス鋼、ニッケル合金、アルミニウム合金などのように、不動態皮膜が表面に形成されることによって耐食性の高い金属材料を用いて形成することが好ましい。
【００３１】
網状部１０３は、枠部１０２の内側に金属線１０３ａを網状に張り渡すことによって構成されている。網状部１０３は、たとえば、枠部１０２によって周縁が囲まれる平面の縦方向に沿って間隔を空けて平行に配置された複数の金属線１０３ａと、当該平面の横方向に沿って間隔を空けて平行に配置された複数の金属線１０３ａと、をそれぞれの金属線１０３ａどうしの間に隙間、いわゆる「目」が形成されるようにすかして編む（組む）ことによって構成することができる。
【００３２】
金属線１０３ａどうしの間に形成される目の大きさは、任意に設定することができる。目の大きさが異なる複数種類の洗浄補助具１００を用意しておくことにより、作業者は、洗浄補助具１００を用いた洗浄対象とする物品のサイズに応じて、目の大きさが適した洗浄補助具１００を選択することができる。
【００３３】
網状部１０３を構成する金属線１０３ａは、たとえば、炭素鋼によって形成されたピアノ線によって実現することができる。また、具体的に、網状部１０３を構成する金属線１０３ａは、たとえば、バネ用ステンレス鋼線によって実現してもよい。
【００３４】
網状部１０３は、金属線１０３ａによって構成されるものに限らず、非金属材料によって形成された繊維状部材によって構成されるものであってもよい。具体的に、たとえば、ステンレス、グラスファイバー、ポリプロピレン、ポリエステル、ビニールコーティングしたポリエステルなどの繊維状部材を、枠部１０２の内側に網状に張り渡すことによって網状部１０３を構成してもよい。
【００３５】
ステンレスを用いることにより、錆びにくく、網状部１０３の耐久性の向上を図ることができる。グラスファイバーは、ガラス繊維をポリ塩化ビニールでコーティングすることによって構成されており、強度が高く、耐熱性に優れている。ポリプロピレンは、軽量であって、耐熱性や耐薬品性に優れている。また、ポリプロピレンは、安価であるため、頻度高く張り替えて使用することができる。ポリエステルは、ポリプロピレンよりも耐久性に優れている。
【００３６】
網状部１０３を構成する材料が異なる複数種類の洗浄補助具１００を用意しておくことにより、作業者は、洗浄対象とする物品の材質や強度あるいは洗浄方法などに応じて、適した材質によって形成された洗浄補助具１００を選択することができる。また、網状部１０３を構成する材料は、洗浄補助具１００を用いた洗浄に用いる洗浄液の性質に応じて、適宜選択してもよい。
【００３７】
具体的には、高圧洗浄機を用いた洗浄をおこなう場合は、強度が高い材料を用いて構成された網状部１０３を備えた洗浄補助具１００を用いる。また、洗剤や薬液を用いた洗浄をおこなう場合は、耐薬品性に優れた材料を用いて構成された網状部１０３を備えた洗浄補助具１００を用いる。この実施の形態においては、洗浄液として水道水や河川から取水した水を高圧洗浄機によって吹き付けることによる洗浄をおこなう。
【００３８】
一対の板網部材１０１は、連結部材１０４によって連結されている。連結部材１０４は、各板網部材１０１がなす長方形状の枠部１０２を構成する一対の長辺のうちの一方の長辺にそれぞれ連結されている。連結部材１０４は、具体的には、たとえば、金属材料によって環形状に形成されたリング状部材によって実現することができる。
【００３９】
連結部材１０４は、一対の板網部材１０１における長辺との間に隙間を確保した状態で、各板網部材１０１に連結されている。これにより、各板網部材１０１は、それぞれ、連結部材１０４がなすリングの中で、連結部材１０４と連結された長辺を軸心とする軸心周りに回動することができる。そして、これにより、一対の板網部材１０１は、連結部材１０４を支点として互いに接離する方向に揺動することができる。一対の板網部材１０１を連結部材１０４を支点として揺動することにより、一対の板網部材１０１の間を開いたり閉じたりすることができる。
【００４０】
連結部材１０４と、一対の板網部材１０１における各長辺とは、裕度をもって連結されている。すなわち、一対の板網部材１０１の回動中心は連結部材１０４に対して固定されているものではなく、連結部材１０４がなす環形状の内周側において自由に移動することができる。これにより、一対の板網部材１０１の対向方向における距離を調整することができる。
【００４１】
一対の板網部材１０１において、連結部材１０４が連結された長辺とは反対側の長辺には、固定部材１０５が設けられている。固定部材１０５は、網状部１０３どうしを対向させた状態で、一対の板網部材１０１の位置関係を固定する。固定部材１０５は、少なくとも、対向した状態における網状部１０３どうしが離間する方向への一対の板網部材１０１の回動を規制するものであればよく、網状部１０３どうしが近づく方向への一対の板網部材１０１の回動を許容するものであってもよい。
【００４２】
具体的に、固定部材１０５は、たとえば、先端が鍵状に屈曲したツメ部材１０５ａと、当該ツメ部材１０５ａが係合する突起部材１０５ｂと、によって実現することができる。この場合、ツメ部材１０５ａは、先端が１８０度向きを変えるように、略Ｕ字形状に屈曲した形状をなすことが好ましい。これにより、一対の板網部材１０１が網状部１０３どうしが近づく方向へ回動した場合にも、ツメ部材１０５ａと突起部材１０５ｂとの係合が外れないようにすることができる。
【００４３】
また、固定部材１０５は、たとえば、一対の板網部材１０１において、連結部材１０４が連結された長辺とは反対側の長辺に一対の板網部材１０１において、連結部材１０４が連結された長辺とは反対側の長辺にそれぞれ設けられた磁石によって実現してもよい。固定部材１０５を実現する磁石は、一対の板網部材１０１の両方に設けるものに限らず、板網部材１０１が磁性体によって形成されている場合は、いずれか一方の板網部材１０１に設けられているものであってもよい。
【００４４】
また、固定部材１０５は、たとえば、ツメ部材１０５ａおよび突起部材１０５ｂと、磁石と、によって実現してもよい。具体的に、ツメ部材１０５ａおよび突起部材１０５ｂの少なくとも一方を磁性体によって形成し、ツメ部材１０５ａおよび突起部材１０５ｂの少なくとも他方に磁石を設けることによって固定部材１０５を実現してもよい。
【００４５】
（ストレーナの構成）
つぎに、ストレーナの構成について説明する。図３〜図５は、ストレーナの構成を示す説明図である。図３においては、ストレーナの外観を示している。図４および図５においては、ストレーナの内部構造を模式的に示している。
【００４６】
図３〜図５に示すように、ストレーナ３００は、略円筒形状をなすケーシング３０１を備えている。ケーシング３０１の内側には、ケーシング３０１と同心円上に配置された、ケーシング３０１の内径寸法よりも外径寸法が小さい略円筒形状をなすドラム４０１が設けられている。ケーシング３０１の内側であって、ケーシング３０１の内周面とドラム４０１の外周面との間には、元圧室４０２が形成されている。
【００４７】
ドラム４０１は、ドラム４０１の周壁を貫通する複数の貫通孔４０３を備えている。複数の貫通孔４０３には、それぞれ、ストレーナメディア４０４が設けられている。ストレーナメディア４０４は、貫通孔４０３を覆うメッシュ状の部材であって、リテーナ５０１によって貫通孔４０３に固定されている。ストレーナメディア４０４によって貫通孔４０３を覆うことにより、塵芥の除去精度を高めることができる。
【００４８】
リテーナ５０１は、貫通孔４０３の内径寸法と等しい外径寸法の管形状をなす。リテーナ５０１の外周面には、貫通孔４０３の内周面に形成された雌ネジに螺合する雄ネジが形成されている。ストレーナメディア４０４は、貫通孔４０３に螺合されることによってドラム４０１に対して固定されるリテーナ５０１によって、貫通孔４０３を覆った状態で固定される。ストレーナメディア４０４は、リテーナ５０１を取り外すことによってドラム４０１から取り外すことができる。
【００４９】
ケーシング３０１には、流体導入管３０２、濾過流体送出管３０３、流体排出管３０４、が設けられている。流体導入管３０２は、一端が元圧室４０２に接続され、他端がストレーナ３００が濾過対象とする流体（濾過前の水）の供給源に接続されており、供給源から供給される濾過前の水を元圧室４０２に導く。濾過流体送出管３０３は、一端がドラム４０１の内側に接続され、他端が元圧室４０２からドラム４０１内に濾過した流体（濾過後の水）の供給先に接続されており、濾過後の水を供給先に送り出す。流体排出管３０４は、一端が元圧室４０２に接続され、他端が所定の排水設備などに接続され、ストレーナ３００の内部の洗浄に用いた排水をケーシング３０１の外に排出する。
【００５０】
ストレーナ３００は、流体導入管３０２を介して元圧室４０２に導入した液体を、ドラム４０１の周壁に設けられた複数の貫通孔４０３を通過させることによってドラム４０１の内側に導く際に、貫通孔４０３を通過する液体に含まれる塵芥をストレーナメディア４０４によって除去する。塵芥を除去した液体は、ドラム４０１の内側に導かれ、濾過流体送出管３０３を介して供給先に送り出される。
【００５１】
液体の通過にともないストレーナメディア４０４には塵芥が溜まっていく。ストレーナ３００においては、ストレーナメディア４０４に塵芥が溜まると、ドラム４０１の内側から元圧室４０２側に流体を流すことによってメッシュ状部材から塵芥を取り除く逆洗をおこなうことができる。このような逆洗をおこなった場合にも、ストレーナメディア４０４に詰まった塵芥を取り除くことができない場合、ストレーナメディア４０４およびリテーナ５０１をドラム４０１から取り外して洗浄する。
【００５２】
ストレーナ３００において、ストレーナメディア４０４およびリテーナ５０１は、複数設けられている。ストレーナ３００の濾過容量が大きくなるほど、ストレーナメディア４０４およびリテーナ５０１の数が増える。ストレーナメディア４０４およびリテーナ５０１は、小型で軽量であり、複数あるストレーナメディア４０４およびリテーナ５０１の洗浄作業の効率化のため高圧洗浄機などを用いてまとめて洗浄しようとすると、ストレーナメディア４０４およびリテーナ５０１が飛高圧洗浄水によって跳ねてしまい、洗浄ができなかったり、ストレーナメディア４０４およびリテーナ５０１を紛失してしまったりする。
【００５３】
この発明にかかる実施の形態の洗浄補助具１００は、ストレーナメディア４０４およびリテーナ５０１などの小型軽量な部品の洗浄に用いる。
【００５４】
（ストレーナメディア４０４およびリテーナ５０１の洗浄方法）
つぎに、ストレーナメディア４０４およびリテーナ５０１の洗浄方法について説明する。図６および図７は、ストレーナメディア４０４およびリテーナ５０１の洗浄方法を示す説明図である。図６および図７に示すように、ストレーナメディア４０４およびリテーナ５０１の洗浄に際しては、まず、洗浄補助具１００に、ストレーナメディア４０４およびリテーナ５０１をセットする。
【００５５】
ストレーナメディア４０４およびリテーナ５０１のセットは、固定部材１０５による一対の板網部材１０１の位置関係の固定を解除して、連結部材１０４による連結位置を支点として一対の板網部材１０１を相対的に回動させ、一対の板網部材１０１の間に隙間を設ける。一対の板網部材１０１は、地面などに平らに並べるように開くまで回動させてもよい。
【００５６】
つぎに、一対の板網部材１０１の間に、ストレーナメディア４０４およびリテーナ５０１を載置する。このとき、ストレーナメディア４０４は、開口を板網部材１０１に対向させた状態で載置することが好ましい。また、載置された状態での高さ寸法が大きいリテーナ５０１を外周側に配置し、高さ寸法がリテーナ５０１より小さいストレーナメディア４０４を内周側に配置することが好ましい。
【００５７】
つぎに、連結部材１０４による連結位置を支点として一対の板網部材１０１を相対的に回動させて、一対の板網部材１０１における網状部１０３どうしを対向させる。この状態で、ツメ部材１０５ａを突起部材１０５ｂに係合させる。これにより、一対の板網部材１０１の間に、ストレーナメディア４０４およびリテーナ５０１を挟んだ状態で、固定部材１０５によって一対の板網部材１０１の位置関係が固定される。リテーナ５０１は、軸心方向における両端の開口が、それぞれ、一対の板網部材１０１に対向した状態となることが好ましい。
【００５８】
その後、洗浄補助具１００を地面などに置き、高圧洗浄機の水を吹き付ける。これにより、複数のストレーナメディア４０４およびリテーナ５０１に、高圧の水をまとめて吹き付けることができる。ストレーナメディア４０４およびリテーナ５０１は、一対の板網部材１０１の間に挟まれているため、高圧の水を吹き付けても水の勢いによって跳んでしまうことがなく、高圧の水を確実に吹き付けることができる。また、ストレーナメディア４０４およびリテーナ５０１は、一対の板網部材１０１の間に挟まれているため、高圧の水を吹き付けても移動してしまうことがない。これにより、ストレーナメディア４０４およびリテーナ５０１を確実に洗浄することができる。
【００５９】
また、一対の板網部材１０１の間において、軸心方向における両端の開口がそれぞれ一対の板網部材１０１に対向した状態となるようにリテーナ５０１をセットすることにより、水の抜けがよくなり、リテーナ５０１を確実に洗浄することができる。
【００６０】
（板網部材１０１の別の構成）
上述した実施の形態においては、板網部材１０１の周縁に、対向する板網部材１０１に向かって立ち上がる縁を備えた洗浄補助具１００について説明したが、板網部材１０１の構成はこれに限るものではない。図８は、板網部材１０１の別の構成（形状）を示す説明図である。
【００６１】
図８に示すように、別の構成の板網部材１０１は、網状部１０３の形状を調整することにより、外周縁側よりも内周側が、他方の板網部材１０１から離反するように凹む凹形状をなす。このような凹形状をなす板網部材１０１は、同形状の板網部材１０１とともに、凹面を互いに対向させた状態で、連結部材１０４によって連結する。
【００６２】
これにより、一対の板網部材１０１の間に、枠部１０２および網状部１０３によって囲まれた空間を形成することができる。そして、枠部１０２の間から洗浄対象とする物品が脱落することをより確実に防止することができる。
【００６３】
以上説明したように、この発明にかかる実施の形態の洗浄補助具１００は、それぞれが環形状をなす枠部１０２と当該枠部１０２の内周において網目を形成する網状部１０３とによって構成される一対の板網部材１０１と、一対の板網部材１０１における各板網部材１０１の枠部１０２によって縁取られる板面どうしが対向する位置と当該板面どうしが離間する位置との間において相互に回動可能に一対の板網部材１０１を連結する連結部材１０４と、板面どうしを対向させた状態で一対の板網部材１０１の枠部１０２どうしの位置関係を固定する固定部材１０５と、を備えたことを特徴としている。
【００６４】
この発明にかかる実施の形態の洗浄補助具１００によれば、ストレーナメディア４０４やリテーナ５０１などの小型軽量な複数の物品を一対の板網部材１０１の間に挟み込むことによって当該物品の移動を規制することができ、移動が規制された複数の物品に対し、網状部１０３を介して、高圧洗浄機などから放出される水を水勢を落とすことなく吹き付けることができる。これにより、ストレーナメディア４０４やリテーナ５０１などの小型軽量な複数の物品を、紛失させることなく、確実かつ効率よく洗浄することができる。
【００６５】
また、この発明にかかる実施の形態の洗浄補助具１００によれば、一対の板網部材１０１がそれぞれ網状部１０３を備えるため、板網部材１０１の網目を介して高圧洗浄機などによって洗浄対象とする物品に吹き付けた水を、吹き付けた側とは反対側の板網部材１０１の網目からスムーズに排出することができ、物品から落とした異物や汚れが再度付着することを防止できる。これにより、ストレーナメディア４０４やリテーナ５０１などの小型軽量な複数の物品を確実かつ効率よく洗浄することができる。
【００６６】
また、一対の板網部材１０１の間に洗浄対象とする物品を挟み込むことにより、物品に対して表裏両側から水を吹き付けて洗浄することができる。これにより、ストレーナメディア４０４やリテーナ５０１などの小型軽量な複数の物品を確実かつ効率よく洗浄することができる。
【００６７】
このように、この発明にかかる実施の形態の洗浄補助具１００によれば、ストレーナメディア４０４やリテーナ５０１などの小型軽量な複数の物品を、紛失させることなく、確実かつ効率よく洗浄することができるので、小型軽量な物品の洗浄作業にかかる作業時間の短縮を図り、作業者の負担軽減および作業効率の向上を図ることができる。
【００６８】
また、この発明にかかる実施の形態の洗浄補助具１００は、網状部１０３が、加えられた外力に応じて弾性変形する弾性を呈することを特徴としている。
【００６９】
この発明にかかる実施の形態の洗浄補助具１００によれば、固定部材１０５によって位置関係が固定された状態の枠部１０２どうしの間隔よりも、一対の板網部材１０１の対向方向における物品の寸法が大きい場合は、当該物品に応じて網状部１０３を変形させることによって、物品を一対の板網部材１０１の間に挟み込むことができる。これにより、幅広い大きさの物品を確実かつ効率よく洗浄することができる。
【００７０】
また、この発明にかかる実施の形態の洗浄補助具１００は、一対の板網部材１０１のうち少なくとも一方の板網部材１０１が、外周縁側よりも内周側が、他方の板網部材１０１から離反するように凹む凹形状をなすことを特徴としている。
【００７１】
この発明にかかる実施の形態の洗浄補助具１００によれば、板網部材１０１の外周に、他方の板網部材１０１に対して突出する縁を設けることができ、高圧洗浄機などによって高圧の水を洗浄対象とする物品に吹き付けることにより、一対の板網部材１０１の間で物品が移動した場合にも、当該物品を縁に引っ掛けることができる。これにより、洗浄対象とする物品が洗浄補助具１００から脱落することを防止し、ストレーナメディア４０４やリテーナ５０１などの小型軽量な複数の物品を確実かつ効率よく洗浄することができる。
【００７２】
また、この発明にかかる実施の形態の洗浄補助具１００は、固定部材１０５が、板網部材１０１において連結部材１０４とは反対側に設けられていることを特徴としている。
【００７３】
この発明にかかる実施の形態の洗浄補助具１００によれば、もっとも大きく動く、連結部材１０４とは反対側を固定部材１０５によって固定することで、容易かつ確実に枠部１０２どうしの位置関係を固定することができる。これにより、洗浄対象とする物品を確実に一対の板網部材１０１の間に位置づけることができ、ストレーナメディア４０４やリテーナ５０１などの小型軽量な複数の物品を確実かつ効率よく洗浄することができる。
【００７４】
また、この発明にかかる実施の形態の洗浄補助具１００は、固定部材１０５が、一対の板網部材１０１のうちの一方の板網部材１０１に設けられて先端が鈎形状をなすツメ部材１０５ａと、他方の板網部材１０１に設けられてツメ部材１０５ａが係合する突起を備えた突起部材１０５ｂと、によって構成されたことを特徴としている。
【００７５】
この発明にかかる実施の形態の洗浄補助具１００によれば、簡易な構成によって固定部材１０５を実現することができる。これにより、洗浄補助具１００の管理や取り扱いの容易化を図るとともに、洗浄補助具１００を安価に製造することができる。
【００７６】
また、この発明にかかる実施の形態の洗浄補助具１００は、一対の板網部材１０１のうち少なくとも一方の板網部材１０１の枠部１０２が磁性体によって形成されており、固定部材１０５が、一対の板網部材１０１のうち他方の板網部材１０１に設けられた磁石であることを特徴としている。
【００７７】
この発明にかかる実施の形態の洗浄補助具１００によれば、一対の板網部材１０１の板面どうしを対向させるだけの作業で、枠部１０２どうしの位置関係を固定することができる。
【００７８】
また、この発明にかかる実施の形態の洗浄補助具１００は、連結部材１０４が、一対の板網部材１０１の枠部１０２の一部を内周側に位置づけた環状部材であることを特徴としている。
【００７９】
この発明にかかる実施の形態の洗浄補助具１００によれば、簡易な構成によって連結部材１０４を実現することができる。これにより、洗浄補助具１００の管理や取り扱いの容易化を図るとともに、洗浄補助具１００を安価に製造することができる。
【００８０】
また、この発明にかかる実施の形態の洗浄補助具１００は、固定部材１０５が、結束バンドであることを特徴としている。
【００８１】
この発明にかかる実施の形態の洗浄補助具１００によれば、入手が容易で取り扱いが容易な結束バンドによって固定部材１０５を実現することにより、容易に、結束バンドの長さの範囲における任意の位置で一対の板網部材１０１の枠部１０２どうしの位置関係を固定することができる。これにより、一対の板網部材１０１の対向方向における物品の寸法にかかわらず、洗浄対象とする物品を一対の板網部材１０１の間に押さえつけるようにして挟んだ状態で、一対の板網部材１０１の枠部１０２どうしの位置関係を固定することができ、幅広い大きさの物品を確実かつ効率よく洗浄することができる。
【００８２】
また、この発明にかかる実施の形態の洗浄補助具１００は、連結部材１０４が、結束バンドであることを特徴としている。
【００８３】
この発明にかかる実施の形態の洗浄補助具１００によれば、入手が容易で取り扱いが容易な結束バンドによって固定部材１０５および連結部材１０４を実現することにより、一対の板網部材１０１の対向方向における物品の寸法にかかわらず、一対の板網部材１０１の板面どうしを平行にした状態で、一対の板網部材１０１の枠部１０２どうしの位置関係を固定することができる。これにより、一対の板網部材１０１の間隔が不均一であるために、一対の板網部材１０１の間のうち、間隔の広い場所から脱落することを防止し、ストレーナメディア４０４やリテーナ５０１などの小型軽量な複数の物品を確実かつ効率よく洗浄することができる。
【００８４】
また、この発明にかかる実施の形態の洗浄補助具１００は、結束バンドが、繰り返し使用が可能であることを特徴としている。
【００８５】
この発明にかかる実施の形態の洗浄補助具１００によれば、繰り返し使用が可能な結束バンドを用いることにより、洗浄補助具１００を用いた洗浄の都度、廃棄物が発生することを回避することができる。これにより、環境に与える負荷を軽減することができる。
【産業上の利用可能性】
【００８６】
以上のように、この発明にかかる洗浄補助具は、小型軽量な物品の洗浄に用いる洗浄補助具に有用であり、特に、小型軽量な複数の物品の洗浄に用いる洗浄補助具に適している。
【符号の説明】
【００８７】
１００  洗浄補助具
１０１  板網部材
１０２  枠部
１０３  網状部
１０３ａ  金属線
１０４  連結部材
１０５  固定部材
１０５ａ  ツメ部材
１０５ｂ  突起部材
３００  ストレーナ
３０１  ケーシング
４０１  ドラム
４０２  元圧室
４０３  貫通孔
４０４  ストレーナメディア
５０１  リテーナ
【図１】
2020175330.tif 000003
【図２】
2020175330.tif 000004
【図３】
2020175330.tif 000005
【図４】
2020175330.tif 000006
【図５】
2020175330.tif 000007
【図６】
2020175330.tif 000008
【図７】
2020175330.tif 000009
【図８】
2020175330.tif 000010